(57)【要約】【課題】通帳カセットに通帳が表裏を逆の向きで誤装填された場合、装填直後にそれを検出して係員に知らせることができるようにする。【解決手段】通帳の表面にステルスバーコードを、裏面には標準バーコードを設け、通帳１２を移送するキャリア２に通帳表裏面のバーコードに対応するステルスバーコードリーダ１０と標準バーコードリーダ１１を設けて、通帳カセット３に通帳を装填したとき、各通帳カセット３に装填されている通帳のバーコードがステルスバーコードリーダ１０と標準バーコードリーダ１１によって読み取れたか否かをかにより、通帳が正しく装填されているか否かを制御部９で判断する。【選択図】図１
2008282290.tif 000002
【特許請求の範囲】
【請求項１】
上下動可能なキャリアの移動経路の両側に通帳カセットを配置し、該通帳カセットから繰出した通帳を前記キャリアにより通帳処理部に移送する通帳発行装置において、
通帳の表裏面に該通帳の種別を示す情報を種類の異なるバーコードとして設け、
前記移動経路の一方の側に配置した通帳カセットには通帳を表面が前記キャリア側になるように装填するものとすると共に前記前記移動経路の他方の側に配置した通帳カセットには通帳の裏面が前記キャリア側になるように装填するものとし、
前記キャリアには前記通帳の表裏面のバーコードに対応する複数のバーコードリーダを設けて、
前記通帳カセットに通帳が装填されたとき、前記それぞれのバーコードリーダで前記装填された最前部の通帳のバーコードの読取りを行い、バーコードが読取れたか否かにより通帳が正しい向きで装填されたか否かを判断することを特徴とする通帳発行装置。
【請求項２】
請求項１記載の通帳発行装置において、
前記バーコードが読取れたとき、そのバーコードの情報を用いて予め通帳カセットに割当てられた種別の通帳か否かを判断することを特徴とする通帳発行装置。
【請求項３】
請求項１記載の通帳発行装置において、
前記通帳カセットから通帳が繰出された際、次の通帳のバーコードを対応するバーコードリーダで読み取りを行って、バーコードが読取れたか否かにより次の通帳が正しい向きで装填されているか否かを判断することを特徴とする通帳発行装置。
【請求項４】
請求項３記載の通帳発行装置において、
前記次の通帳のバーコードが読取れたとき、そのバーコードの情報を用いて予め通帳カセットに割当てられた種別の通帳か否かを判断することを特徴とする通帳発行装置。
【請求項５】
請求項１乃至請求項４記載のいずれか１項記載の通帳発行装置において、前記通帳の表裏面の一方の面のバーコードは、ステルスバーコードとすることを特徴とする通帳発行装置。
【発明の詳細な説明】
【技術分野】
【０００１】
本発明は、銀行等の金融機関で使用される通帳発行装置に関するもので、特に種別の異なる通帳を種別毎に通帳カセットに収納して、指定された種別の通帳を発行する通帳発行装置に関するものである。
【背景技術】
【０００２】
従来のこの種の通帳発行装置として例えば特許文献１に開示されたものがある。
図８はこの特許文献１に開示された通帳発行装置を示す概略構成図で、この通帳発行装置１はカセット収納部４及び通帳処理部５を備えている。
カセット収納部４は、中央部に上下方向に移動可能なキャリア２を有し、このキャリア２の移動経路に沿ってその両側に通帳カセット３が複数段設けられており、種別の異なる通帳が種別毎に通帳カセット３に収納され、図示しない上位装置あるいは入力手段により指定された種別の通帳がキャリア２により通帳カセット３から取込まれるものとなっている。
【０００３】
図９は通帳カセット３に通帳１２が装填された状態を示す側面図で、この図に示したように通帳１２は各カセット収納部４に取外し可能に装着された通帳カセット３内に綴じ目側を上にして斜めに傾斜した状態で整列させて収納されており、コイルスプリング等により付勢された押圧板によってキャリア２側に設けられた繰出し口側に押圧されている。
ここで図に向かって右側の通帳カセット３にはキャリア２側に通帳表面が向くように通帳１２が装填され、向かって左側の通帳カセット３にはキャリア２側に通帳裏面が向くように通帳１２が装填されるものとなっている。
【０００４】
通帳処理部５は、図示しない通帳搬送路と、この通帳搬送路に沿って配置された磁気ヘッド、頁めくり手段、印字手段、頁検知手段、印字済行検知手段等を有し、前記キャリア２から通帳搬送路に送り込まれた通帳を搬送して、通帳の磁気ストライプに対する磁気データの書込み及び読取り、表紙及び頁の順めくりあるいは逆めくり、頁検知、印字済行数検知、印字を行い、すべての処理が終わった後、通帳を通帳発行口に搬送して発行するものとなっている。
【特許文献１】特開２００７−２５９２１号公報
【発明の開示】
【発明が解決しようとする課題】
【０００５】
しかしながら、上述した従来の技術においては、キャリアの移動経路の両側に配置される通帳カセットに通帳が表裏を逆の向きで誤装填された場合、通帳発行時に通帳が通帳処理部に移送されて磁気ストライプの読取りが行われるまで誤装填されたことが判らないという問題がある。
また、通帳カセットに本来装填すべき通帳と異なる種類の通帳が誤装填された場合、やはり通帳が通帳処理部に移送されて磁気ストライプの読取りが行われて、通帳種類の識別が行われるまで種類の異なる通帳が誤装填されたことが判らないという問題もある。
【０００６】
本発明は、このような問題を解決することを課題とする。
【課題を解決するための手段】
【０００７】
そのため、本発明は、上下動可能なキャリアの移動経路の両側に通帳カセットを配置し、該通帳カセットから繰出した通帳を前記キャリアにより通帳処理部に移送する通帳発行装置において、通帳の表裏面に該通帳の種別を示す情報を種類の異なるバーコードとして設け、前記移動経路の一方の側に配置した通帳カセットには通帳を表面が前記キャリア側になるように装填するものとすると共に前記前記移動経路の他方の側に配置した通帳カセットには通帳の裏面が前記キャリア側になるように装填するものとし、前記キャリアには前記通帳の表裏面のバーコードに対応する複数のバーコードリーダを設けて、前記通帳カセットに通帳が装填されたとき、前記それぞれのバーコードリーダで前記装填された最前部の通帳のバーコードの読取りを行い、バーコードが読取れたか否かにより通帳が正しい向きで装填されたか否かを判断することを特徴とする。
【０００８】
また本発明は前記通帳発行装置において、前記バーコードが読取れたとき、そのバーコードの情報により通帳の種別を判別して、予め通帳カセットに割当てられた種別の通帳か否かを判断することを特徴とする。
【発明の効果】
【０００９】
このようにした本発明は、通帳カセットに通帳を装填したとき、各通帳カセットに装填されている通帳のバーコードがキャリアに設けたバーコードリーダによって読み取れたか否かをかにより、通帳が正しく装填されているか否かを判断するようにしているため、通帳カセットに通帳が表裏を逆の向きで誤装填された場合、装填直後にそれを検出して係員に知らせることができるという効果が得られる。
【００１０】
また、前記バーコードとして通帳の種別を示す情報が用いられているため、通帳装填時にバーコードリーダによりバーコードが読取れた場合、その通帳の種別を確認することで通帳カセットに本来装填すべき通帳と異なる種類の通帳が誤装填されていた場合、それを検出して係員に知らせることができるという効果も得られる。
【発明を実施するための最良の形態】
【００１１】
以下、図面を参照して本発明による通帳発行装置の実施例を説明する。
【実施例】
【００１２】
図１は第１の実施例の概略構成を示すブロック図である。
図において１は通帳発行装置で、上位装置である通帳情報管理サーバ２０と専用回線を介して通信可能に接続されている。
この通帳発行装置１は、カセット収納部４、通帳処理部５、通帳発行口６、表示部７、入力部８、及びこれら各部を制御する制御部９等を備えている。
【００１３】
ここでカセット収納部４は、中央部に上下方向に移動可能なキャリア２を有し、このキャリア２の移動経路に沿ってその両側に通帳カセット３が複数段設けられている。
各通帳カセット３にはカセット番号（識別情報）が付与され、そのカセット番号により制御部１２が通帳カセット３の装着の有無等を管理するものとなっている。
キャリア２の下部には、図に向かって右側の通帳カセット３に収納されている通帳の情報を読取るステルスバーコードリーダ１０及び左側の通帳カセット３に収納される通帳の情報を読取る標準バーコードリーダ１１が装備されている。
【００１４】
通帳処理部５は、図示しない通帳搬送路と、この通帳搬送路に沿って配置された磁気ヘッド、頁めくり手段、印字手段、頁検知手段、印字済行検知手段等有し、前記キャリア２から通帳搬送路に送り込まれた通帳を搬送して、通帳の磁気ストライプに対する磁気データの書込み及び読取り、表紙及び頁の順めくりあるいは逆めくり、頁検知、印字済行数検知、印字を行い、すべての処理が終わった後、通帳を通帳発行口６に搬送して発行するものとなっている。
【００１５】
表示部７にはＬＣＤ等が用いられ、入力部８としてはオペレータ（係員）操作用のキーボードが用いられるが、表示部７上にタッチパネルを配して入力部８とすることも可能である。
制御部９は、図示しない記憶部に記憶された制御プログラムに従ってキャリア２、通帳カセット３、通帳処理部５、表示部７、入力部８等を制御し、通帳の発行処理を実行すると共に、ステルスバーコードリーダ１０及び標準バーコードリーダ１１の読取り結果に基づいて通帳種別の識別を行う機能を有している。
【００１６】
通帳情報管理サーバ２０は管理テーブル２１を有し、この管理テーブル２１には、どのカセットにどの種別の通帳が格納されているかを確認するための通帳カセット毎の識別情報であるカセット番号と、通帳カセット毎に割り当てられた通帳の種別を示す通帳種別情報が通帳カセットの識別情報に対応付けて格納されている。
図２は通帳カセット３に収納される通帳１２の説明図で、同図（ａ）に示したように通帳１２の表面（表紙外面）には、その中央下部にステルスバーコード１２ａが印刷され、同図（ｂ）に示したように通帳１２の裏面（裏表紙外面）には、その中央下部に標準バーコード１２ｂが印刷されていて、このステルスバーコード１２ａと標準バーコード１２ｂは普通預金通帳あるいは総合口座通帳などの通帳の種別を示す同一内容の情報が記録されている。
【００１７】
尚、ステルスバーコード１２ａは通常の状態では視認できないステルス性インクにより印刷されており、通帳１２に印刷される模様やイラスト等のデザインに影響を与えないものとなっている。
また、標準バーコードは視認可能なインクにより、複数のバーを平行に印刷したものである。
【００１８】
図３は通帳カセット３の側面図で、この図に示したように通帳１２は各カセット収納部４に取外し可能に装着された通帳カセット３内に綴じ目側を上にして斜めに傾斜した状態で整列させて収納されており、コイルスプリング等により付勢された押圧板によってキャリア２側に設けられた繰出し口側に押圧されている。
ここで図に向かって右側の通帳カセット３にはキャリア２側に通帳表面が向くように通帳１２が装填され、向かって左側の通帳カセット３にはキャリア２側に通帳裏面が向くように通帳１２が装填されるものとなっている。
【００１９】
また、通帳カセット３内の通帳１２は後述するピッカローラにより傾斜したまま上方へ１冊ずつ繰出され、繰出された通帳１２はキャリア２に取込まれて通帳処理部５へ移送されるものとなっている。
図４は左右の通帳カセット３の正面図で、同図（ａ）は図３のＡ−Ａ矢視図、同図（ｂ）は図３のＢ−Ｂ矢視図である。
【００２０】
この図に示したよう通帳１２が表裏を正常な向きにして通帳カセット３に装填されている場合、右側の通帳カセット３に装填された通帳１２は通帳表面のステルスバーコード１２ａがキャリア２のステルスバーコードリーダ１０側を向き、左側の通帳カセット３に装填された通帳１２は通帳裏面の標準バーコード１２ｂがキャリア２の標準バーコードリーダ１１側を向くものとなる。
【００２１】
図５はキャリア２の概略図で、この図に示したようにキャリア２に設けられたステルスバーコードリーダ１０は発光部１０ａと受光部１０ｂから成り、発光部１０ａからの光が通帳１２のステルスバーコード１２ａを照射し、その反射光を受光部１０ｂで受光することによりステルスバーコード１２ａの読取りを行うものとなっている。
また、標準バーコードリーダ１１も発光部１１ａと受光部１１ｂから成り、同様に標準バーコード１２ｂの読取りを行うものとなっている。
【００２２】
１３はキャリア２に搭載されたピッカローラで、揺動可能なブラケット１４に回転可能に支持され、駆動モータ１５により図示しないベルトを介して時計方向及び反時計方向に回転するようになっている。
１６ａと１６ｂはピッカローラ１３により通帳カセット３から繰出された通帳１２を検知する検知センサで、検知センサ１６ａは図１または図３に向かって右側の通帳カセット３から繰出された通帳１２を検知し、検知センサ１６ｂは左側の通帳カセット３から繰出された通帳１２を検知するようにキャリア２に配置されている。
【００２３】
尚、ブラケット１４の揺動や駆動モータ１５の駆動、検知センサ１６ａ、１６ｂの通帳検知等も制御部９により制御されるものである。
また、各通帳カセット３には、ステルスバーコードリーダ１０や標準バーコードリーダ１１によるステルスバーコード１２ａや標準バーコード１２ｂの読取り、及びピッカローラ１３による通帳１２の繰出しを可能にするためのスリットあるいは窓穴が形成されている。
【００２４】
上述した構成の作用について説明する。
尚、以下に説明する各部の動作は、図示しない記憶部に格納されたプログラム（ソフトウェア）に基づいて制御部９により制御されるものとする。
銀行の係員が通帳発行装置１に設けられた扉を開いて通帳カセット３に通帳１２を装填する。
【００２５】
このとき図４に示したように表裏が正常な向きで装填された場合、右側の通帳カセット３に装填された通帳１２はステルスバーコード１２ａがキャリア２側、左側の通帳カセット３に装填された通帳１２は標準バーコード１２ｂがキャリア２側になる。
係員が通帳装填後に通帳発行装置１の扉を閉めると、制御部９の制御によりキャリア２が上下動し、キャリア２に設けられているステルスバーコードリーダ１０及び標準バーコードリーダ１１がそれぞれ最上段または最下段の通帳カセット３から順に各通帳カセット３に装填されている通帳１２のステルスバーコード１２ａ及び標準バーコード１２ｂを読取る。
【００２６】
このステルスバーコード１２ａ及び標準バーコード１２ｂの情報は通帳種別を示す情報である。
読取られたバーコード情報は制御部９によって通帳情報管理サーバ２０に送られ、通帳情報管理サーバ２０で管理テーブル２１の通帳種別情報と照合が行われる。
この場合、通帳発行装置１の制御部９から通帳情報管理サーバ２０に送られるのは、上記のように通帳種別を示す情報であるが、ステルスバーコードリーダ１０及び標準バーコードリーダ１１がどの通帳カセット３の通帳１２から読取るかが判っているので、送られてくる情報に対応する通帳カセット３はその順序により識別可能であり、従って通帳情報管理サーバ２０は管理テーブル２１の該当するカセッ情報から通帳種別情報を読出して送られてきた通帳種別情報と照合することができ、これにより通帳カセット３に割り当てられた種類の通帳１２か否かを判断する。
【００２７】
照合の結果、通帳カセット３毎に割り当てられている通帳１２の種別が一致しないものがある場合は、その旨の通知が通帳発行装置１に送信され、この通知を制御部９が受信すると、制御部９は通帳の種別が一致しない旨のメッセージと該当カセット番号等を配した内容のエラー画面を表示部７に表示して係員の装填種別エラーであることを通知する。
一方、係員が表裏を逆にして通帳１２を通帳カセット３に装填した場合、通帳裏面の標準バーコード１２ａがステルスバーコードリーダ１０側を向き、通帳表面のステルスバーコード１２ａが標準バーコードリーダ１１側を向くため、ステルスバーコードリーダ１０や標準バーコードリーダ１１は読取が不可となる。
【００２８】
そのため、制御部９は前記のようにキャリア２が上下動させて、ステルスバーコードリーダ１０及び標準バーコードリーダ１１により読取りを行ったとき、ステルスバーコード１２ａ及び標準バーコード１２ｂが読取れたか否かにより、通帳が正しい向きで装填されているか否かを判断し、正しい向きで装填されていない通帳１２があった場合、その旨のメッセージセージと該当カセット番号等を配した内容のエラー画面を表示部７に表示して係員の表裏装填エラーであることを通知する。
【００２９】
以上説明したように、第１の実施例では、通帳の表裏面に種類の異なるバーコードを設け、通帳を移送するキャリアに表裏面のバーコードに対応するバーコードリーダを設けて、通帳カセットに通帳を装填したとき、各通帳カセットに装填されている通帳のバーコードがキャリアに設けたバーコードリーダによって読み取れたか否かをかにより、通帳が正しく装填されているか否かを判断するようにしているため、通帳カセットに通帳が表裏を逆の向きで誤装填された場合、装填直後にそれを検出して係員に知らせることができるという効果が得られる。
【００３０】
また、前記バーコードとして通帳の種別を示す情報が用いられているため、通帳装填時にバーコードリーダによりバーコードが読取れた場合、その通帳の種別を確認することで通帳カセットに本来装填すべき通帳と異なる種類の通帳が誤装填されていた場合、それを検出して係員に知らせることができるという効果も得られる。
次に第２の実施例について説明する。
【００３１】
この第２の実施例の構成は第１の実施例と同様であり、各通帳カセット３への通帳１２の装填も同様に行われる。
図６は通帳カセット３内に残りの通帳１２がある状態において間違った状態で通帳１２が補充された場合を示す図で、同図（ａ）は残りの通帳１２の後ろに異なる種類の通帳１２が補充された場合の説明図、同図（ｂ）は残りの通帳１２の後ろに表裏が逆の向きで通帳が補充された場合の説明図である。
【００３２】
図７は第２の実施例の作用を示す側面図で、キャリア２に設けられたピッカローラ１３により通帳カセット３から通帳１２を繰出す状態を示している。
この図６及び図７を参照して第２の実施例の作用について説明する。
図７に示したよう繰出すべき通帳１２が装填されている通帳カセット３に対応する通帳繰出し位置にキャリア２を停止させ、ブラケット１４を右側に揺動させてピッカローラ１３を最前面の通帳１２に当接させた後、駆動モータ１５によりピッカローラ１３を反時計方向に回転させて通帳カセット３から最前面の通帳１２を繰出す。
【００３３】
そして、この通帳１２が２冊目の通帳１２のステルスバーコード１２ａが読取り可能な位置まで繰出されたら、ステルスバーコードリーダ１０により２冊目の通帳１２のステルスバーコード１２ａを読取り、ステルスバーコード１２ａの読み取りができた場合、第１の実施例と同様にそのバーコード情報を通帳情報管理サーバ２０に送信して、通帳情報管理サーバ２０で管理テーブル２１の通帳種別情報と照合を行う。
【００３４】
このようにして通帳１２を繰出す毎に、次の通帳１２のステルスバーコード１２ａを読取って、通帳１２の種別の照合を行うことで通帳カセット３に割り当てられた種類の通帳１２か否かを判断し、図６（ａ）に示したように、残りの通帳１２の後ろに異なる種別の通帳１２が補充されていた場合、つまり通帳カセット３毎に割り当てられている通帳１２の種別が一致しない場合は、その通帳１２を繰出す前に種類の異なる通帳１２が補充されていることを検出することが可能となる。
【００３５】
この場合、第１の実施例と同様に、通帳の種類が一致しない旨の通知が通帳情報管理サーバ２０から通帳発行装置１に送信され、この通知を制御部９が受信すると、制御部９は通帳の種別が一致しない旨のメッセージと該当カセット番号等を配した内容のエラー画面を表示部７に表示して係員の装填種別エラーであることを通知する。
一方、図６（ｂ）に示すように残りの通帳１２の後に表裏が逆の状態で通帳が補充された場合、通帳裏面の標準バーコード１２ａがステルスバーコードリーダ１０側を向くため、ステルスバーコードリーダ１０は読取が不可となる。
【００３６】
そのため、通帳１２を繰出す毎に、次の通帳１２に対してステルスバーコードリーダ１０により読取りを行ったとき、ステルスバーコード１２が読取れたか否かにより、通帳１２が正しい向きで装填されているか否かを判断し、正しい向きで装填されていない場合、制御部９はその旨のメッセージセージと該当カセット番号等を配した内容のエラー画面を表示部７に表示して係員の表裏装填エラーであることを通知する。
【００３７】
尚、右側の通帳カセット３に補充された通帳についても同様の処理が行われることは無論である。
以上説明したように、第２の実施例では、通帳カセットから通帳を繰出す毎にバーコードをキャリアに設けたバーコードリーダによって次の通帳のバーコードを読取り、バーコードが読取れたか否かにより、通帳が正しく装填されているか否かを判断するようにしているため、通帳カセット内に残りの通帳がある状態で、係員により通帳の補充（装填）が行われたとき、残りの通帳の後ろに表裏が逆の向きで通帳が補充された場合でも、その通帳の繰出し前に、表裏を逆の向きで誤装填されていることを検出して係員に知らせることができるという効果が得られる。
【００３８】
また、通帳カセットから通帳を繰出す毎に次の通帳からバーコードの読取りを行って、バーコードが読み取れた場合、そのバーコード情報により通帳の種別の確認を行っているため、通帳カセット内に残りの通帳がある状態で、係員により通帳の補充（装填）が行われたとき、通帳カセットに本来装填すべき通帳と異なる種別の通帳が誤装填されていた場合でも、それを検出して係員に知らせることができるという効果も得られる。
【００３９】
尚、上述した第１、第２の実施例では、通帳１２の表面（表紙外面）にステルスバーコード１２ａが印刷され、通帳１２の裏面（裏表紙外面）に標準バーコード１２ｂが印刷されているものとして説明したが逆であってもよく、また、標準バーコード１２部に変えて二次元バーコードを用いることも可能である。
また、上述した第１、第２の実施例では、通帳１２から読取ったステルスバーコード１２ａや標準バーコード１２ｂから読取ったバーコード情報を通帳情報管理サーバ２０送信して、通帳の種別を確認するものとして説明したが、通帳発行装置１の起動時等に通帳情報管理サーバ２０から通帳カセット毎のカセット番号等の識別情報と、通帳カセット毎に収納される通帳の種別を示す通帳種別情報を受信して、通帳発行装置１の図示しない記憶部に記憶させ、この記憶部に記憶した通帳カセットの識別情報と通帳種別情報を用いて通帳発行装置１の制御部９で通帳の種別を確認することも可能であり、更に前記記憶部に予め固定情報として通帳カセット３の識別情報と通帳種別情報を記憶させて、制御部９により通帳の種別を確認することも可能である。
【図面の簡単な説明】
【００４０】
【図１】第１の実施例の概略構成を示すブロック図
【図２】通帳カセットに収納される通帳の説明図
【図３】通帳カセットの側面図
【図４】左右の通帳カセットの正面図
【図５】キャリアの概略図
【図６】間違った状態で通帳が補充された場合を示す図
【図７】第２の実施例の作用を示す側面図
【図８】従来の通帳発行装置を示す概略構成図
【図９】通帳カセットに通帳が装填された状態を示す側面図
【符号の説明】
【００４１】
１    通帳発行装置
２    キャリア
３    通帳カセット
４    カセット収納部
５    通帳処理部
６    通帳発行口
９    制御部
１０  ステルスバーコードリーダ
１１  標準バーコードリーダ
１２  通帳
１２ａ  ステルスバーコード
１２ｂ  標準バーコード
１３  ピッカローラ
２０  通帳情報管理サーバ
２１  管理テーブル
【図１】
2008282290.tif 000003
【図２】
2008282290.tif 000004
【図３】
2008282290.tif 000005
【図４】
2008282290.tif 000006
【図５】
2008282290.tif 000007
【図６】
2008282290.tif 000008
【図７】
2008282290.tif 000009
【図８】
2008282290.tif 000010
【図９】
2008282290.tif 000011